(57)【要約】【課題】  過去のデータを参照しつつ特定の時間部分におけるデータの詳細を容易に参照できる株価情報表示装置を提供する。【解決手段】  配信サーバ１から配信された株価の約定値段と出来高をネットワーク３を介して受信して表示する株価情報表示装置２であって、時間軸上に日中足データを表示する日中足表示エリア（Ａ）を形成し、当該時間軸上で直近１分について更に短い時間間隔となる秒単位で株価の約定値段と出来高を秒足データとして表示する秒足表示エリアを形成した株価情報表示装置である。【選択図】        図４
2012113553.tif 000002
【特許請求の範囲】
【請求項１】
配信された株価の約定値段と出来高を受信して表示する株価情報表示装置において、
時間軸上に特定期間について、特定間隔で前記株価の約定値段と出来高を表示すると共に、前記時間軸上に前記特定間隔より短い間隔で前記株価の約定値段と出来高を表示する詳細表示エリアを設けたことを特徴とする株価情報表示装置。
【請求項２】
詳細表示エリアを時間軸上でスライド可能としたことを特徴とする請求項１記載の株価情報表示装置。
【請求項３】
株価の約定値段又は出来高について、設定された基準値に対してアラート表示するリミットマインダ機能を備え、
詳細表示エリアの区間内で、前記基準値の範囲を超えて株価の約定値段又は出来高が変動した場合に、前記詳細表示エリア内でアラート表示することを特徴とする請求項１又は２記載の株価情報表示装置。
【請求項４】
配信された株価情報を受信して記憶部に記憶し、該記憶した株価情報を表示部に表示する株価情報表示装置であって、
前記表示部は、前記記憶部に記憶してある株価情報を、少なくとも秒足、日中足、日足、週足の中で２つを時間軸の所定エリアに時分割表示することを特徴とする株価情報表示装置。
【発明の詳細な説明】
【技術分野】
【０００１】
本発明は、株価の約定値段と出来高をチャートで表示する株価情報表示装置に係り、特に、過去のデータを参照しつつ直近のデータの詳細を参照できる株価情報表示装置に関する。
【背景技術】
【０００２】
［従来の技術］
株価の約定値段と出来高に関する株価約定系データを配信する配信サーバと、配信サーバからの配信データを受信して表示するクライアント（株価情報表示装置）から構成される株価表示システムが存在する。
【０００３】
［従来の株価チャート表示例：図１０］
従来の株価チャート表示例について図１０を参照しながら説明する。図１０は、従来の株価チャート表示例を示す図である。
従来の株価チャート表示例は、図１０に示すように、特定銘柄に対する株価の日中足チャートでは、１分間に１列の約定値段の折れ線グラフと出来高の棒グラフを描画するのが一般的であった。
具体的には、直近の１分間における約定値段が変動すると、チャートの折れ線が変動するようになっていた。
【０００４】
［関連技術］
尚、関連する先行技術として、特開平０７−３１９８１１号公報「情報端末装置」（国際電気株式会社）［特許文献１］）がある。
特許文献１には、情報端末装置において、受信データが初期スケール内に収まらない場合には、スケール変更手段１５でグラフスケール、グラフデータとも圧縮し、全グラフデータがグラフスケール内に収まるように変更することが示されている。
【先行技術文献】
【特許文献】
【０００５】
【特許文献１】特開平０７−３１９８１１号公報
【発明の概要】
【発明が解決しようとする課題】
【０００６】
しかしながら、従来の株価情報表示装置では、１分間に１列の約定値段と出来高をチャート表示するようにしているので、１分以内での約定値段と出来高の変動の詳細を知ることができないという問題点があった。
【０００７】
特に、売買システムの高速化に伴い、約定回数が増加傾向にあるが、その詳細を従来の株価情報表示装置におけるチャート表示では容易に判別できないものとなっていた。
【０００８】
本発明は上記実情に鑑みて為されたもので、過去のデータを参照しつつ特定の時間部分におけるデータの詳細を容易に参照できる株価情報表示装置を提供することを目的とする。
【課題を解決するための手段】
【０００９】
上記従来例の問題点を解決するための本発明は、配信された株価の約定値段と出来高を受信して表示する株価情報表示装置において、時間軸上に特定期間について、特定間隔で株価の約定値段と出来高を表示すると共に、時間軸上に特定間隔より短い間隔で株価の約定値段と出来高を表示する詳細表示エリアを設けたことを特徴とする。
【００１０】
本発明は、上記株価情報表示装置において、詳細表示エリアを時間軸上でスライド可能としたことを特徴とする。
【００１１】
本発明は、上記株価情報表示装置において、株価の約定値段又は出来高について、設定された基準値に対してアラート表示するリミットマインダ機能を備え、詳細表示エリアの区間内で、基準値の範囲を超えて株価の約定値段又は出来高が変動した場合に、詳細表示エリア内でアラート表示することを特徴とする。
【発明の効果】
【００１２】
本発明によれば、時間軸上に特定期間について、特定間隔で株価の約定値段と出来高を表示すると共に、時間軸上に特定間隔より短い間隔で株価の約定値段と出来高を表示する詳細表示エリアを設けた株価情報表示装置としているので、過去のデータを参照しつつ特定の時間部分におけるデータの詳細を容易に参照できる効果がある。
【００１３】
本発明によれば、詳細表示エリアを時間軸上でスライド可能とした上記株価情報表示装置としているので、特定の時点における約定値段と出来高の変動を詳細に参照できる効果がある。
【００１４】
本発明によれば、株価の約定値段又は出来高について、設定された基準値に対してアラート表示するリミットマインダ機能を備え、詳細表示エリアの区間内で、基準値の範囲を超えて株価の約定値段又は出来高が変動した場合に、詳細表示エリア内でアラート表示する上記株価情報表示装置としているので、詳細表示エリア内での重要な変動を見逃すことがないという効果がある。
【図面の簡単な説明】
【００１５】
【図１】本発明の実施の形態に係る株価情報表示装置の構成ブロック図である。
【図２】株価情報表示装置の構成概略図である。
【図３】第１の実施形態の表示例を示す図である。
【図４】第１の実施形態の具体的表示例である。
【図５】第１の実施形態の処理を示すフローチャートである。
【図６】第２の実施形態の表示例を示す図である。
【図７】チャート設定画面の例を示す図である。
【図８】第３の実施形態の表示例を示す図である。
【図９】第４の実施形態の表示例を示す図である。
【図１０】従来の株価チャート表示例を示す図である。
【発明を実施するための形態】
【００１６】
本発明の実施の形態について図面を参照しながら説明する。
［実施の形態の概要］
本発明の実施の形態に係る株価情報表示装置は、配信された株価の約定値段と出来高を受信して時間軸上に日中足データを表示する日中足表示エリアを形成し、当該時間軸上に更に短い時間間隔の秒足データを表示する秒足表示エリアを形成するようにしているので、特定の時間部分における約定値段と出来高の変動を詳細に参照できるものである。
【００１７】
ここで、日中足データに対して秒足データは詳細データであり、日中足表示エリアに対して秒足表示エリアは詳細表示エリアということになる。
また、秒足データとは、約定値段と出来高を分より短い特定の秒単位で表示されるデータである。
【００１８】
また、本発明の実施の形態に係る株価情報表示装置は、時間軸上で日中足表示エリアの過去方向に、日足表示エリア、週足表示エリアを形成して日足データ、週足データを表示するようにしているので、過去の取引の動向を長期的に参照できるものである。
【００１９】
また、本発明の実施の形態に係る株価情報表示装置は、各表示エリア内に詳細表示エリアをスライド可能に形成して詳細データを表示するようにしているので、特定の時点における取引の詳細を参照できるものである。
【００２０】
また、本発明の実施の形態に係る株価情報表示装置は、株価の約定値段又は出来高について、設定された基準値に対してアラート表示するリミットマインダ機能を備え、詳細表示エリアの区間内で、基準値の範囲を超えて株価の約定値段又は出来高が変動した場合に、詳細表示エリア内でアラート表示するようにしているので、詳細表示エリア内での重要な変動を見逃すことがないものである。
【００２１】
［株価表示システム：図１］
本発明の実施の形態に係る株価表示システムについて図１を参照しながら説明する。図１は、本発明の実施の形態に係る株価情報表示装置の構成ブロック図である。
本発明の実施の形態に係る株価表示システム（本システム）は、図１に示すように、センタシステムの配信サーバ１と、ユーザシステムの複数のクライアント（株価情報表示装置）２とがインターネット又は専用ネットワークのネットワーク３を介して接続されている。
【００２２】
配信サーバ１は、売買の取引が発生する毎に、約定値段と出来高のデータ（「秒データ」と称することがある）を配信すると共に、定期的に日足データ、週足データを配信する。
【００２３】
尚、取引がある毎に配信される約定値段と出来高のデータを「秒データ」と称したが、５秒、１０秒、１５秒等の単位時間内に配信されたデータを意味し、１分毎に表示される日中足データに対して、区別するために、１分以内の単位時間で表示されるデータを「秒データ」としたものである。
【００２４】
クライアント２の株価情報表示装置は、配信サーバ１から配信された日足データ、週足データ、秒データを受信して記憶し、特徴的なチャート表示を行う。株価表示装置については後述する。
【００２５】
［株価情報表示装置：図２］
次に、本システムにおける株価情報表示装置（本装置）について図２を参照しながら説明する。図２は、株価情報表示装置の構成概略図である。
本装置は、図２に示すように、制御部２１と、記憶部２２と、インタフェース部２３とを備え、インタフェース部２３に表示部２４と入力部２５が接続し、更にネットワークに接続している。
【００２６】
記憶部２２は、処理プログラムを記憶すると共に、秒データ記憶エリア２２ａと日足・週足データ記憶エリア２２ｂとを備えている。
また、図２でインタフェース部２３は、一つ記載しているが、接続する装置によって実際は対応する個々のインタフェース部に接続している。
【００２７】
制御部２１は、配信サーバ１から配信された日足データ、週足データ、秒データを受信して、日足データ、週足データを日足・週足データ記憶エリア２２ｂに記憶し、秒データを秒データ記憶エリア２２ａに記憶する。尚、各データは、当該データに含まれる発生日時（更新日時）のデータと共に記憶される。
また、制御部２１は、記憶部２２から処理プログラムを読み込み、秒足表示手段、日中足表示手段、日足表示手段、週足表示手段、表示制御手段、表示設定手段等の手段を実現している。
【００２８】
上記各手段の詳細について説明する。
［秒足表示手段］
制御部２１の動作によって実現される秒足表示手段は、直近又は特定の１分間について、表示設定手段で設定された秒間隔、例えば、５秒、１０秒、１５秒等の単位時間間隔で、配信された約定値段と出来高を表示するものである。
例えば、１０秒間に複数の取引が発生した場合は、約定値段は最終取引の値段を算出して表示し、出来高はその期間での累積を演算して表示するようになっている。
【００２９】
尚、直近の１分間とは、０秒〜６０秒までの区間であってもよいし、現在時刻を基準に過去１分間の区間であってもよい。
また、特定の１分間とは、直近ではなく、過去の特定の時刻を基準に過去１分間の区間という意味である。
更に、秒足を表示する区間を１分間としてが、２，３分間の区間（分区間）であってもよい。
【００３０】
［日中足表示手段］
制御部２１の動作によって実現される日中足表示手段は、特定日について、表示設定手段で設定された特定分間隔（例えば、１分、５分、１０分、...）で、配信された約定値段と出来高を表示するものである。
上記特定分の区間で、複数の取引が発生した場合は、約定値段は最終取引の値段を算出して表示し、出来高はその期間での累積を演算して表示するようになっている。
【００３１】
［日足表示手段］
制御部２１の動作によって実現される日足表示手段は、特定期間（例えば、７日等）について、日足・週足データ記憶エリア２２ｂに記憶された日足データを読み出し、日足表示を行う。
日足表示手段における日足表示の形式は、一般的なものである。
【００３２】
［週足表示手段］
制御部２１の動作によって実現される週足表示手段は、特定期間（例えば、１ヶ月、３ヶ月等）について、日足・週足データ記憶エリア２２ｂに記憶された週足データを読み込み、週足表示を行う。
週足表示手段における週足表示の形式は、一般的なものである。
【００３３】
［表示制御手段］
制御部２１の動作によって実現される表示制御手段は、上記各表示手段が出力する秒足データ、日中足データ、日足データ、週足データを選択的に又は組み合わせて１つの画面上に表示するものである。
具体的には、表示制御手段は、表示画面の上段に、表示銘柄の始値、現在値、前日比、前日指数等を表示し、表示画面の中段に、横軸を時間軸とし、縦軸を約定値段とするチャートを表示し、表示画面の下段に、上記時間軸を共通として縦軸を出来高とするグラフを表示する。
【００３４】
中段の約定値段のチャートでは、秒足データ、日中足データを表示する場合は、折れ線グラフで表示され、日足データ、週足データを表示する場合は、ローソク足で表示される。
また、下段の出来高のグラフは、時間軸に対して出来高が棒グラフで表示される。
【００３５】
そして、表示制御手段は、横軸の時間軸に対して、秒足データを表示する秒足表示エリア（Ａ）、日中足データを表示する日中足表示エリア（Ｂ）、日足データを表示する日足表示エリア（Ｃ）、週足データを表示する週足表示エリア（Ｄ）を選択的に又は組み合わせて割り当てるものである。
【００３６】
その割り当てに際して、各表示エリアの時間軸は、各データの表示に適した時間間隔となる。
つまり、秒足表示エリア（Ａ）では、時間軸は設定された秒単位となり、日中足表示エリア（Ｂ）では、時間軸は設定された分単位となり、日足表示エリア（Ｃ）では、日単位となり、週足表示エリア（Ｄ）では週単位となる。
上記表示エリアをどのように割り当てるかによって種々の表示パターンが生成できる。表示パターン（表示例）については後述する。
【００３７】
［表示設定手段］
制御部２１の動作によって実現される表示設定手段は、表示画面における種々の設定を行うための設定画面を表示し、当該設定画面で設定された項目（設定項目）を記憶部２２に記憶する。
また、表示設定手段は、操作者の要求に応じて設定画面を表示し、設定項目を変更して記憶部２２に記憶する。
【００３８】
尚、表示画面において、表示エリア（Ａ）〜（Ｄ）をどのように選択して組み合わせて表示するのかも、当該設定画面で設定されるようになっている。
そして、表示制御手段が表示を行う際に、当該設定項目に従って表示されるものである。設定画面の例については後述する。
【００３９】
［第１の表示例：図３］
次に、第１の実施の形態に係る表示例（第１の表示例）について図３を参照しながら説明する。図３は、第１の実施形態の表示例を示す図である。
表示設定手段によって、秒足表示エリア（Ａ）と日中足表示エリア（Ｂ）が選択され、秒足データは直近の特定分（例えば、１分、２分等）を表示するよう設定されている。
株式の約定値段と出来高の表示画面のイメージは、図３に示すように、時間軸の右（過去）から左（現在）に対して、左側に日中足表示エリア（Ｂ）が配置され、その右側に秒足表示エリア（Ａ）が配置されている。
【００４０】
［第１の表示の具体例：図４］
第１の表示例を具体化したのが図４である。図４は、第１の実施形態の具体的表示例である。
図４に示すように、時間軸に対して左側に日中足表示エリア（Ｂ）が設けられ、当該表示エリアでは特定分単位に約定値段の折れ線グラフと出来高の棒グラフが表示され、時間軸の右側に秒足表示エリア（Ａ）が設けられ、当該表示エリアでは特定秒単位に約定値段の折れ線グラフと出来高の棒グラフが表示されている。
ここで、秒足表示エリア（Ａ）は、直近１分間表示エリアで、１分間の区間で、特定秒単位に約定値段と出来高が表示される。
【００４１】
［第１の実施形態の処理：図５］
以上では、秒足表示エリア（Ａ）と日中足表示エリア（Ｂ）を表示するのに、表示制御手段が秒足表示手段での処理結果、日中足表示手段での処理結果を表示するようになっているが、具体的な処理フローについて図５を参照しながら説明する。図５は、第１の実施形態の処理を示すフローチャートである。尚、図５の処理は、図４の表示例を実現するものである。
【００４２】
表示制御手段は、図５に示すように、日中足表示手段が日中足表示処理を行ってから１分間経過したか否かを判定する（Ｓ１）。日中足表示処理が行われていなければ、開始から１分間経過したか否かを判定する。
１分間を経過したのであれば（Ｙｅｓの場合）、日中足表示処理を行う（Ｓ２）。日中足表示処理が一度行われている場合は、日中足表示更新処理となる。
【００４３】
また、判定処理Ｓ１で１分間経過していなければ（Ｎｏの場合）、秒足表示処理してから１０秒間経過したか否かを判定する（Ｓ３）。秒足表示処理が行われていなければ、開始から１０秒間経過したか否かを判定する。
ここで「１０秒間」とは、秒足の表示単位である。
【００４４】
１０秒間経過していなければ（Ｎｏの場合）、判定処理Ｓ１に戻る。
また、１０秒間経過したのであれば（Ｙｅｓの場合）、秒足表示処理を行い（Ｓ４）、判定処理Ｓ１に戻る。秒足表示処理が一度行われている場合は、秒足表示更新処理となる。
【００４５】
以上のように、特定時間（１０秒）間隔で秒足表示処理を行い、１０秒の時間間隔より長い時間間隔（１分）で日中足表示処理と秒足表示処理を行うようにしているので、日中足表示エリア（Ｂ）において１分間隔で日中足データの表示（表示更新）が行われ、秒足表示エリア（Ａ）において１０秒間隔で秒足データの表示（表示更新）が行われる。
この場合、時間軸の時間表記も表示更新に合わせて更新して表示するものである。
【００４６】
［第２の表示例：図６］
次に、第２の実施の形態に係る表示例（第２の表示例）について図６を参照しながら説明する。図６は、第２の実施形態の表示例を示す図である。
表示設定手段によって、秒足表示エリア（Ａ）、日中足表示エリア（Ｂ）、日足表示エリア（Ｃ）、週足表示エリア（Ｄ）が選択され、秒足データは直近の特定分（例えば、１分、２分等）を表示し、日中足データは秒足データに続く直近の特定日を表示し、日足データは日中足データに続く直近の複数日を表示し、週足データは日足データに続く直近の複数週を表示するよう設定されている。
【００４７】
株式の約定値段と出来高の表示画面のイメージは、図６に示すように、時間軸の右（過去）から左（現在）に対して、左側から週足表示エリア（Ｄ）、日足表示エリア（Ｃ）、日中足表示エリア（Ｂ）が配置され、その右側に秒足表示エリア（Ａ）が配置されている。
尚、各表示エリアにおける時間軸の単位は、表示エリア毎に異なっており、秒足表示エリア（Ａ）が秒単位に、日中足表示エリア（Ｂ）が分単位に、日足表示エリア（Ｃ）が日単位に、週足表示エリア（Ｄ）が週単位に設定されて各データが表示される。
【００４８】
［チャート設定画面：図７］
次に、表示設定手段により表示されるチャート設定画面について図７を参照しながら説明する。図７は、チャート設定画面の例を示す図である。
図７に示すように、設定画面は、「表示項目設定」「直近１分間エリア（秒足）の描画間隔」「各エリアの表示色」「横軸（時間軸）の設定」について項目を設定できるようになっている。
【００４９】
「表示項目設定」では、約定値段でグラフの種類について「折れ線」を選択すると、出来高でグラフの種類は「折れ線」が選択できず、「棒グラフ」を選択するよう排他設定となっている。
また、約定値段でグラフの位置について「上」を選択すると、出来高でグラフの位置は「上」が選択できず、「下」を選択するよう排他設定となっている。
つまり、約定値段又は出来高について、一方を先にグラフの種類、グラフの位置を設定すると、他方は先に設定された項目以外が選択可能となるものである。
【００５０】
「直近１分間エリア（秒足）の描画間隔」では、例えば、１秒、５秒、１０秒、１５秒から選択可能となっているが、任意に「３」秒、「６」秒等に設定してもよい。
更に、直近１分間」としているが、例えば、直近２分間に設定可能とするようにしてもよい。
【００５１】
「各エリアの表示色」では、各データの表示色を設定するためのものであり、［□］部分をクリック又はカーソルを近づけることで、ポップアップウインドウでカラーパレットが表示され、そのパレットから色の選択を行う。各エリアでの表示色を区別可能とすることで、表示チャートを分かりやすくできるものである。
【００５２】
「横軸（時間軸）の設定」では、時間軸の幅が、例えば、左から１〜１００まで目盛りがあるとすると、各表示エリアの幅を数値によって特定するものである。図７では、各表示エリアが同じ幅で四等分されている設定となっている。
従って、表示エリアの幅を任意に設定することで、重点的に見たいエリアを広くして使い勝手を向上させることができる。
【００５３】
また、図７では直近１分間エリアの描画間隔の設定しか表示していないが、日中足データの描画間隔も設定可能とすることができる。
また、日足の表示期間、週足の表示期間も設定可能としてもよい。
【００５４】
更に、チャート設定画面で、リミットマインダの設定を行うことを可能とし、設定されたリミット値を超える（上回る又は下回る）場合に、グラフの色を変更してアラート表示することも可能である。
具体的には、約定値段が予め設定された特定値を下回った場合には、折れ線グラフの色を赤に変更して描画するようにしてもよい。同様に、出来高が予め設定された特定値を上回った場合には、棒グラフの色を変更して表示するようにしてもよい。
【００５５】
［第３の表示例：図８］
次に、第３の実施の形態に係る表示例（第３の表示例）について図８を参照しながら説明する。図８は、第３の実施形態の表示例を示す図である。
表示設定手段によって、秒足表示エリア（Ａ）と日中足表示エリア（Ｂ）が選択され、日中足データが全体的に表示されている状態の中に、秒足データが表示される秒足表示エリア（Ａ）が設けられている。
そして、秒足表示エリア（Ａ）は、日中足表示エリア（Ｂ）内を時間軸上（左右方向）スライドさせることができる。従って、図８では、日中足表示エリア（Ｂ１）と（Ｂ２）が秒足表示エリア（Ａ）によって分断されている。
【００５６】
具体的には、例えば、図３の状態から秒足表示エリア（Ａ）をドラッグして過去方向（左方向）にスライドさせ、ドロップすると、その位置に秒足表示エリア（Ａ）を移動させるものである。
この場合、秒足表示手段は、ドロップした位置の時刻を基にして記憶部２２の秒データ記憶エリア２２ａから表示に必要な秒データを取得し、設定された特定秒間隔で秒足データを表示する。
【００５７】
また、表示画面上に秒足表示エリアを描画するためのアイコン（秒足アイコン）を設けておき、当該アイコンを日中足表示エリア（Ｂ）内にドラッグアンドドロップすることで、秒足表示エリア（Ａ）を形成して秒足データを表示するようにしてもよい。
また、秒足アイコンを画面上に設けておき、単純にクリックするだけで、日中足表示エリア（Ｂ）に秒足表示エリア（Ａ）を形成して秒足データを表示するようにしてもよい。
【００５８】
［第４の表示例：図９］
次に、第４の実施の形態に係る表示例（第４の表示例）について図９を参照しながら説明する。図９は、第４の実施形態の表示例を示す図である。
表示設定手段によって、秒足表示エリア（Ａ）、日中足表示エリア（Ｂ）、日足表示エリア（Ｃ）、週足表示エリア（Ｄ）が選択され、秒足データは直近の特定分（例えば、１分、２分等）を表示し、日中足データは秒足データに続く直近の特定日を表示し、日足データは日中足データに続く直近の複数日を表示し、週足データは日足データに続く直近の複数週を表示するように設定されている。
【００５９】
更に、図８の第３の表示例と同様に、日中足表示エリア（Ｂ１）の中に秒足表示エリア（Ａ２）を配置し、日足表示エリア（Ｃ１）の中に日中足表示エリア（Ｂ２）を配置し、週足表示エリア（Ｄ）の中に日足表示エリア（Ｃ２）を配置している。
そして、秒足表示エリア（Ａ２）、日中足表示エリア（Ｂ２）、日足表示エリア（Ｃ２）は、第３の表示例と同様に時間軸上をスライド可能としている。
【００６０】
スライドできる範囲は、秒足表示エリア（Ａ２）が日中足表示エリア（Ｂ１）の範囲内で、日中足表示エリア（Ｂ２）が日足表示エリア（Ｃ１）の範囲内で、日足表示エリア（Ｃ２）が週足表示エリア（Ｄ）の範囲内とする方が、見やすさを考慮すると望ましいが、この範囲に拘束されず、任意にスライド可能としてもよい。
【００６１】
スライドした日中足表示エリア（Ｂ２）に日中足データを表示する場合は、スライドした時間軸の日付のデータを基に秒データ記憶エリア２２ａから秒データを読み出して日中足データを生成して表示する。または、過去に生成して表示した日中足データを日時データと共に記憶部２２に記憶しておき、その日中足データを用いて日中足表示エリア（Ｂ２）に表示させるようにしてもよい。
【００６２】
また、スライドした日足表示エリア（Ｃ２）に日足データを表示する場合は、スライドした時間軸の日付のデータを基に日足・週足データ記憶エリア２２ｂから日付データに対応した日足データを読み出して表示する。
【００６３】
尚、図９では、秒足表示エリア（Ａ２）、日中足表示エリア（Ｂ２）、日足表示エリア（Ｃ２）を全て表示するようにしているが、これら表示エリアを選択的に設けるようにしてもよい。
【００６４】
また、秒足表示エリア（Ａ２）に秒足データを表示する場合は、秒足表示エリア（Ａ１）を設けないようにし、日中足表示エリア（Ｂ２）に日中足データを表示する場合は、日中足表示エリア（Ｂ１）、秒足表示エリア（Ａ２）、秒足表示エリア（Ａ１）を設けないようにし、日足表示エリア（Ｃ２）に日足データを表示する場合は、日足表示エリア（Ｃ１）、日中足表示エリア（Ｂ２）、日中足表示エリア（Ｂ１）、秒足表示エリア（Ａ２）、秒足表示エリア（Ａ１）を設けないようにすれば、表示を単純化できる。
【００６５】
更に、第３の表示例と同様に、画面上に「秒足アイコン」「日中足アイコン」「日足アイコン」を形成し、当該アイコンをドラッグアンドドロップすることで、または、当該アイコンをクリックすることで、週足表示エリア（Ｄ）、日足表示エリア（Ｃ１）、日中足表示エリア（Ｂ１）における詳細表示を実現できる。
【００６６】
また、上記アイコンを単純に「拡大鏡アイコン」とし、ドロップされた位置によって詳細表示を実現してもよい。例えば、ドロップされた位置が週足表示エリア（Ｄ）であれば、日足表示エリア（Ｃ２）を生成し、ドロップされた位置が日足表示エリア（Ｃ１）であれば、日中足表示エリア（Ｂ２）を生成し、ドロップされた位置が日中足表示エリア（Ｂ１）であれば、秒足表示エリア（Ａ２）を生成し、対応するデータを表示する。
【００６７】
［第５の表示例］
次に、第５の実施の形態に係る表示例（第５の表示例）について説明する。
第５の表示例は、時間軸を現在時刻に近い程（右方向）、時間間隔を長くし、過去に遡る程（左方向）、時間間隔を短くして、その時間軸上の週、日、分、秒に応じて約定値段と出来高を表示するものである。
従って、第５の表示例では、一部にローソク足の表示を行わず、全体的に約定値段を折れ線グラフで、出来高を棒グラフで表示する。つまり、対数的な表示となる。
【００６８】
［実施の形態の効果］
本装置によれば、配信された株価の約定値段と出来高を受信して時間軸上に日中足データを表示する日中足表示エリアを形成し、当該時間軸上に更に短い時間間隔の秒足データ（詳細データ）を表示する秒足表示エリア（詳細表示エリア）を形成したものであり、特定の時間部分における約定値段と出来高の変動を詳細に参照できる効果がある。
【００６９】
また、本装置によれば、時間軸上で日中足表示エリアの過去方向に、日足表示エリア、週足表示エリアを形成したものであり、過去の取引の動向を長期的に参照できる効果がある。
【００７０】
また、本装置によれば、各表示エリア内に詳細表示エリアをスライド可能に形成したものであり、特定の時点における取引の詳細を参照できる効果がある。
【００７１】
また、本装置によれば、株価の約定値段又は出来高について、設定された基準値に対してアラート表示するリミットマインダ機能を備え、詳細表示エリアの区間内で、基準値の範囲を超えて株価の約定値段又は出来高が変動した場合に、詳細表示エリア内でアラート表示するものであり、詳細表示エリア内での重要な変動を見逃すことがないという効果がある。
【産業上の利用可能性】
【００７２】
本発明は、過去のデータを参照しつつ特定の時間部分におけるデータの詳細を容易に参照できる株価情報表示装置に好適である。
【符号の説明】
【００７３】
１...配信サーバ、  ２...クライアント（株価情報表示装置）、  ３...ネットワーク、  ２１...制御部、  ２２...記憶部、  ２２ａ...秒データ記憶エリア、  ２２ｂ...日足・週足データ記憶エリア、  ２３...インタフェース部、  ２４...表示部、  ２５...入力部
【図１】
2012113553.tif 000003
【図２】
2012113553.tif 000004
【図３】
2012113553.tif 000005
【図４】
2012113553.tif 000006
【図５】
2012113553.tif 000007
【図６】
2012113553.tif 000008
【図７】
2012113553.tif 000009
【図８】
2012113553.tif 000010
【図９】
2012113553.tif 000011
【図１０】
2012113553.tif 000012